(57)【要約】【課題】本体に対して着脱可能な投射用光源ユニットを含む投射型表示装置において正規の規格品以外の投射用光源ユニットが使用された場合や投射用光源ユニットが交換された場合を検出することが可能な投射型表示装置、投射用光源ユニットを提供すること。【解決手段】着脱可能な投射用光源ユニット５８を含む投射型表示装置１であって、投射用光源ユニット５８は、本体から読みだし可能な不揮発記憶部５５を含み、前記本体は、投射用光源ユニット５８の不揮発性記憶部５５に記憶されている光源情報を読み出し、当該光源情報に基づき、投射用光源ユニットが所定の規格品であるか否か及び投射用光源ユニットが交換されたか否かの少なくとも一方を判別する光源情報判別部６４を含む。【選択図】図１
2008185712.tif 000002
【特許請求の範囲】
【請求項１】
本体に対して着脱可能な投射用光源ユニットを含む投射型表示装置であって、
前記投射用光源ユニットは、本体から読みだし可能な不揮発記憶部を含み、
前記本体は、
前記投射用光源ユニットの不揮発性記憶部に記憶されている光源情報を読み出し、当該光源情報に基づき、投射用光源ユニットが所定の規格品であるか否か及び投射用光源ユニットが交換されたか否かの少なくとも一方を判別する光源情報判別部を含む事を特徴とする投射型表示装置。
【請求項２】
請求項１において、
前記投射用光源ユニットの不揮発記憶部は、所定の情報が書き込まれた書き換え不可能な不揮発性メモリである第１の光源情報記憶部を含み、
前記光源情報判別部は、
第１の光源情報記憶部から第１の情報を読み出し、読み出した第１の情報が所定の情報であるか否かに基づき所定の規格品であるか否か判断することを特徴とする投射型表示装置。
【請求項３】
請求項１乃至２のいずれかにおいて、
前記投射用光源ユニットの不揮発記憶部は、書き換え可能な不揮発性メモリで構成された第２の光源情報記憶部を含み、
前記光源情報判別部は、
第１のタイミングで第２の光源情報記憶部に所定の照合情報を書き込み、第１のタイミングの後の第２のタイミングで、第２の光源情報記憶部に記憶されている第２の情報を読み出す処理を行い、
第２のタイミングで読み出した第２の情報が所定の条件を満たすか否かに基づき前記投射用光源ユニットが交換されたか否かを判断することを特徴とする投射型表示装置。
【請求項４】
請求項３において、
前記本体は、書き換え可能な不揮発性メモリで構成された第３の光源情報記憶部を含み、
前記光源情報判別部は、
第１のタイミングで第２の光源情報記憶部及び第３の光源情報記憶部に所定の照合情報を書き込み、第１のタイミングの後の第２のタイミングで第２の光源情報記憶部に記憶されている第２の情報及び第３の光源情報記憶部に記憶されている第３の情報を読み出す処理を行い、
第２のタイミングで読み出した第２の情報と第３の情報と比較して比較結果に基づき前記投射用光源ユニットが交換されたか否かを判断することを特徴とする投射型表示装置。
【請求項５】
請求項４において、
前記投射用光源ユニットの光源にかかる光源電圧を取得する光源電圧取得部をさらに含み、
前記光源情報判別部は、
取得された前記光源電圧に基づき生成した照合電圧情報を第１のタイミングで第２の光源情報記憶部及び第３の光源情報記憶部に書き込むことを特徴とする投射型表示装置。
【請求項６】
請求項３において、
前記投射用光源ユニットの光源にかかる光源電圧を取得する光源電圧取得部をさらに含み、
前記光源情報判別部は、
取得された前記光源電圧に基づき前回電圧に関する情報を第１のタイミングで第２の光源情報記憶部に書き込み、
第２の光源情報記憶部に記憶されている第２の情報を第２のタイミングで読み出し、
第２のタイミングで読み出した第２の情報が示す光源電圧と今回所得した光源にかかる光源電圧を比較して比較結果に基づき前記投射用光源ユニットが交換されたか否かを判断することを特徴とする投射型表示装置。
【請求項７】
請求項４において、
操作部からパスワード情報を受け付けるパスワード情報受け付け部をさらに含み、
前記光源情報判別部は、
受け付けたパスワード情報に基づき生成した照合パスワード情報を第１のタイミングで第２の光源情報記憶部及び第３の光源情報記憶部に書き込むことを特徴とする投射型表示装置。
【請求項８】
請求項３において、
操作部からパスワード情報を受け付けるパスワード情報受け付け部をさらに含み、
前記光源情報判別部は、
受け付けたパスワード情報に基づき生成した照合パスワード情報を第１のタイミングで第２の光源情報記憶部に書き込み、
第２の光源情報記憶部に記憶されている第２の情報を第２のタイミングで読み出し、
第２のタイミングで読み出した第２の情報が示すパスワード情報と今回受け付けたパスワードを比較して比較結果に基づき所定の条件をみたすか否か判断することを特徴とする投射型表示装置。
【請求項９】
請求項1乃至８のいずれかにおいて、
光源の点灯時間を含む光源情報を取得して光源使用履歴情報として本体または投射用光源ユニットの不揮発性記憶部に保持する光源使用履歴情報取得部を含み、
前記光源情報判別部は、
前記投射用光源ユニットが交換されたと判断した場合には、前記不揮発性記憶部に保持されている光源使用履歴情報をリセットすることを特徴とする投射型表示装置。
【請求項１０】
請求項１乃至９のいずれかにおいて、
前記光源情報判別部は、
前記投射用光源ユニットの光源の消灯時に、投射用光源ユニットの不揮発性記憶部に対してアクセス動作を行うことを特徴とする投射型表示装置。
【請求項１１】
請求項１乃至１０のいずれかの投射型表示装置に対して着脱可能な投射用光源ユニットであって
光源部と、
投射型表示装置本体から読み書き可能な不揮発記憶部を含むことを特徴とする投射用光源ユニット。
【発明の詳細な説明】
【技術分野】
【０００１】
本発明は、投射型表示装置及び投射用光源ユニットに関する。
【背景技術】
【０００２】
従来より、光源から出射された光束を光学的に処理して光学像を形成し、投写レンズにより光学像を拡大投写する投写型表示装置が知られている。このような投写型表示装置は、会議、学会、展示会等のマルチプレゼンテーションに広く利用されている。
【０００３】
そして、上述した投写型表示装置の光源としては、輝度、発色の安定性等の観点から、従来より、メタルハライドランプ、キセノンランプ等の光源ランプをリフレクタに固定した光源装置が採用されている。
【０００４】
このような光源ランプは、使用開始から数千時間の間は比較的安定した光を発することができるが、それ以上の時間に亘って使用すると、ランプ寿命が尽きてしまい、光源ランプの輝度が著しく低下するという問題がある。
【０００５】
このため、従来の投写型表示装置では、光源（ランプ）ユニットを本体に対して着脱可能に構成し、光源の寿命がきたらユニット毎取り外して付け替え可能に構成されている。
【０００６】
従って取り替え用の光源ユニットが単体で市場に出回っているが、純正品以外の安価な模倣品も多い。このような模倣品は正規の規格を満たしていない場合もあり、部品自体が不良である場合があるばかりでなく、部品と本体の規格があわず本体にまで悪影響を及ぼすこともあり得る。
【特許文献１】特開２００６−１６４６９８号公報
【発明の開示】
【発明が解決しようとする課題】
【０００７】
しかし従来は特にランプユニットが規格品であるかどうかや、ランプユニットが取り替えられたか否かを検出するような回路はなく、正規の規格品でないランプが取り付けられてもユーザーは容易に判別することができなかった。
【０００８】
本発明は、以上のような問題点に鑑みてなされたものであり、本体に対して着脱可能な投射用光源ユニットを含む投射型表示装置において正規の規格品以外の投射用光源ユニットが使用された場合や投射用光源ユニットが交換された場合を検出することが可能な投射型表示装置、投射用光源ユニットを提供することである。
【０００９】
また消耗部品ユニットを含む電子機器において正規の規格品以外の消耗部品ユニットが使用された場合や消耗部品ユニットが交換された場合を検出することが可能な電子機器を提供することである。
【課題を解決するための手段】
【００１０】
（１）本発明は、本体に対して着脱可能な投射用光源ユニットを含む投射型表示装置であって、前記投射用光源ユニットは、本体から読みだし可能な不揮発記憶部を含み、前記本体は、前記投射用光源ユニットの不揮発性記憶部に記憶されている光源情報を読み出し、当該光源情報に基づき、投射用光源ユニットが所定の規格品であるか否か及び投射用光源ユニットが交換されたか否かの少なくとも一方を判別する光源情報判別部を含む事を特徴とする。
【００１１】
投射型表示装置とは、例えばプロジェクタである。
【００１２】
投射用光源ユニットとはランプやＬＥＤ等の投射用の光源を含むユニットである。光源ユニットは消耗部品であるため、寿命がきたら新たなものに取り替えるため、本体に対して着脱可能に取り付けられている。
【００１３】
光源情報判別部は前記不揮発性記憶部に記憶されている情報を読みだし、読み出した光源情報が所与の条件を満たしているか否か判断し、判断結果に基づき、投射用光源ユニットが所定の規格品であるか及び投射用光源ユニットが交換されたかの少なくとも一方を判別するようにしてもよい。
【００１４】
所定の規格品であるか否かとは、例えば純正品であるか否かである。純正品であるか否かについては、「純正品であることを示す情報」を投射用光源ユニットの不揮発性記憶部に予め記憶させておき、投射用光源ユニットから読み出した情報が「純正品であることを示す情報」である場合には純正品であると判断するようにしてもよい。
【００１５】
投射用光源ユニットが交換されたか否かを判別するために、例えば投射用光源ユニットから前回読み出した情報を本体側の不揮発性記憶部に記憶させておき、当該情報と投射用光源ユニットから今回読み出した情報とを比較して一致していない場合には、投射用光源ユニットが交換されたと判断するようにしてもよい。
【００１６】
そして、光源情報判別部の判別結果に基づき所定の処理を行うようにしてもよい。
【００１７】
所定の処理とは、光源の点灯非点灯の制御や、不揮発性記憶部の記憶のリセットや所定のメッセージの出力等である。
【００１８】
本発明によれば、本体に対して着脱可能な投射用光源ユニットを含む投射型表示装置において正規の規格品以外の投射用光源ユニットが使用された場合や投射用光源ユニットが交換された場合を検出することが可能な投射型表示装置、投射用光源ユニットを提供することができる。
【００１９】
（２）本発明の投射型表示装置は、前記投射用光源ユニットの不揮発記憶部は、所定の情報が書き込まれた書き換え不可能な不揮発性メモリである第１の光源情報記憶部を含み、前記光源情報判別部は、第１の光源情報記憶部から第１の情報を読み出し、読み出した第１の情報が所定の情報であるか否かに基づき所定の規格品であるか否か判断することを特徴とする。
【００２０】
所定の情報は、暗号化して記憶させるようにしてもよい。
【００２１】
（３）本発明の投射型表示装置は、前記投射用光源ユニットの不揮発記憶部は、書き換え可能な不揮発性メモリで構成された第２の光源情報記憶部を含み、前記光源情報判別部は、第１のタイミングで第２の光源情報記憶部に所定の照合情報を書き込み、第１のタイミングの後の第２のタイミングで、第２の光源情報記憶部に記憶されている第２の情報を読み出す処理を行い、第２のタイミングで読み出した第２の情報が所定の条件を満たすか否かに基づき前記投射用光源ユニットが交換されたか否かを判断することを特徴とする。
【００２２】
第１のタイミングとは、たとえば前回の光源使用（ランプ点灯）時であり、第２のタイミングとは、たとえば今回の光源使用（ランプ点灯）時である。
【００２３】
所定の照合情報とは、例えば機器の識別ＩＤ等の固定的に設定されている値でもよいし、所定のタイミングで取得した光源電圧や点灯合計時間やパスワードや時刻等の可変な値でもよい。
【００２４】
所定の照合情報が固定値である場合には、例えば第２の情報と所定の照合情報が一致するか否かで第２の情報が所定の条件を満たすか否か判断するようにしてもよい。この場合光源情報判別部は、第２の情報と所定の照合情報が異なれば投射用光源ユニットが交換されたと判断することができる。
【００２５】
所定の照合情報が可変値である場合には、例えば第２の情報が所定の範囲内であるか否か等を判断することにより所定の条件を満たすか否か判断するようにしてもよい。
【００２６】
（４）本発明の投射型表示装置は、前記本体は、書き換え可能な不揮発性メモリで構成された第３の光源情報記憶部を含み、前記光源情報判別部は、第１のタイミングで第２の光源情報記憶部及び第３の光源情報記憶部に所定の照合情報を書き込み、第１のタイミングの後の第２のタイミングで第２の光源情報記憶部に記憶されている第２の情報及び第３の光源情報記憶部に記憶されている第３の情報を読み出す処理を行い、第２のタイミングで読み出した第２の情報と第３の情報と比較して比較結果に基づき前記投射用光源ユニットが交換されたか否かを判断することを特徴とする。
【００２７】
前記光源情報判別部は、第２の情報と第３の情報が異なれば投射用光源ユニットが交換されたと判断することができる。
【００２８】
（５）本発明の投射型表示装置は、前記投射用光源ユニットの光源にかかる光源電圧を取得する光源電圧取得部をさらに含み、前記光源情報判別部は、取得された前記光源電圧に基づき生成した照合電圧情報を第１のタイミングで第２の光源情報記憶部及び第３の光源情報記憶部に書き込むことを特徴とする。
【００２９】
光源電圧とは、例えば光源点灯時に絶縁破壊を起こすための高電圧ではなく、通常状態で光源の点灯を意地するために供給される電圧である。光源電圧は光源の点灯制御のための駆動電力を制御するバラストユニットが光源に供給する電圧を取得するようにしてもよい。
【００３０】
光源電圧は、光源が劣化すると（使用時間が長くなると）上がる傾向にあり、各機器の各タイミングにおける光源電圧は一様ではない。すなわち光源毎にことなるので、今回と前回の光源電圧の差が所定の範囲内にない場合には、光源が交換された可能性が高いといえる。従って光源情報判別部は、第２の光源情報記憶部及び第３の光源情報記憶部に記憶されている光源電圧がことなれば光源が交換されたと判断するようにしてもよい。
【００３１】
（６）本発明の投射型表示装置は、前記投射用光源ユニットの光源にかかる光源電圧を取得する光源電圧取得部をさらに含み、前記光源情報判別部は、取得された前記光源電圧に基づき前回電圧に関する情報を第１のタイミングで第２の光源情報記憶部に書き込み、第２の光源情報記憶部に記憶されている第２の情報を第２のタイミングで読み出し、第２のタイミングで読み出した第２の情報が示す光源電圧と今回所得した光源にかかる光源電圧を比較して比較結果に基づき前記投射用光源ユニットが交換されたか否かを判断することを特徴とする。
【００３２】
今回の光源にかかる光源電圧は、今回の点灯動作によりバラストユニットが光源に供給した定常的な電圧を取得する。従って本発明では、光源点灯後に光源が交換されたか否か判断することになる。
【００３３】
（７）本発明の投射型表示装置は、操作部からパスワード情報を受け付けるパスワード情報受け付け部をさらに含み、前記光源情報判別部は、受け付けたパスワード情報に基づき生成した照合パスワード情報を第１のタイミングで第２の光源情報記憶部及び第３の光源情報記憶部に書き込むことを特徴とする。
【００３４】
パスワード入力は、本体の操作部から入力してもよいし、リモコンの操作部から入力してもよい。
【００３５】
（８）本発明の投射型表示装置は、操作部からパスワード情報を受け付けるパスワード情報受け付け部をさらに含み、前記光源情報判別部は、受け付けたパスワード情報に基づき生成した照合パスワード情報を第１のタイミングで第２の光源情報記憶部に書き込み、第２の光源情報記憶部に記憶されている第２の情報を第２のタイミングで読み出し、第２のタイミングで読み出した第２の情報が示すパスワード情報と今回受け付けたパスワードを比較して比較結果に基づき所定の条件をみたすか否か判断することを特徴とする。
【００３６】
（９）本発明の投射型表示装置は、光源の点灯時間を含む光源情報を取得して光源使用履歴情報として本体または投射用光源ユニットの不揮発性記憶部に保持する光源使用履歴情報取得部を含み、前記光源情報判別部は、前記投射用光源ユニットが交換されたと判断した場合には、前記不揮発性記憶部に保持されている光源使用履歴情報をリセットすることを特徴とする。
【００３７】
（１０）本発明の投射型表示装置は、前記光源情報判別部は、前記投射用光源ユニットの光源の消灯時に、投射用光源ユニットの不揮発性記憶部に対してアクセス動作を行うことを特徴とする。
【００３８】
本発明によれば光源消灯時に不揮発性メモリにアクセスするので、アクセスデータにノイズがのるのを抑制することができる。
【００３９】
（１１）本発明は、上記のいずれかの投射型表示装置に対して着脱可能な投射用光源ユニットであって、光源部と、投射型表示装置本体から読み書き可能な不揮発記憶部を含むことを特徴とする。
【００４０】
光源部とは、例えば光源ランプ、リフレクタ、およびこれらを収納するランプハウジング等から構成される。不揮発記憶部は、ＲＯＭやフラッシュメモリやＥＥＰＲＯＭ等を含むメモリＩＣであり、書き換え可能な不揮発性メモリ及び書き換え不可能な不揮発性メモリの少なくとも一方と不揮発性メモリに対するＩ／Ｏインタフェース等を含んで構成されるようにしてもよい。
【００４１】
また本体に投射用光源ユニットが装着された状態においては、投射用光源ユニットの不揮発性記憶部は本体とコネクタ等で電気的に接続されるように構成されている。
【００４２】
（１２）本発明は、本体に対して着脱可能な消耗部品ユニットを含む電子機器であって、前記消耗部品ユニットは、本体から読みだし可能な不揮発記憶部を含み、前記本体は、前記消耗部品ユニットの不揮発性記憶部に記憶されている消耗部品情報を読み出し、前記不揮発性記憶部から読み出された消耗部品情報に基づき、消耗部品ユニットが所定の規格品であるか及び消耗部品ユニットが交換されたかの少なくとも一方を判別する消耗部品情報判別部を含む事を特徴とする。
【００４３】
消耗部品ユニットとは例えばインクカートリッジ等でもよく、電子機器とは例えばプリンタ等でもよい。
【発明を実施するための最良の形態】
【００４４】
以下、本発明の好適な実施形態について図面を用いて詳細に説明する。なお、以下に説明する実施の形態は、特許請求の範囲に記載された本発明の内容を不当に限定するものではない。また以下で説明される構成の全てが本発明の必須構成要件であるとは限らない。
【００４５】
１．プロジェクタ及び投射型光源ユニットの構成
以下、本発明の実施形態に係る投射型表示装置について、図面を参照して説明する。図１は、本実施形態に係る投射型表示装置の機能ブロック図である。
【００４６】
本実施形態に係る投射型表示装置１は、本体２に対して着脱可能な投射用光源ユニット５８を含む。
【００４７】
投射用光源ユニット５８は、本体２から読みだし可能な不揮発記憶部５５を含む。本体２は、投射用光源ユニット５８の不揮発性記憶部５５に記憶されている光源情報を読み出し、当該光源情報に基づき、投射用光源ユニット５８が所定の規格品であるか否か及び投射用光源ユニット５８が交換されたか否かの少なくとも一方を判別する光源情報判別部６４を含む。
【００４８】
不揮発記憶部とはＲＯＭやフラッシュメモリやＥＥＰＲＯＭ等を含むメモリＩＣであり、書き換え可能な不揮発性メモリ及び書き換え不可能な不揮発性メモリの少なくとも一方と不揮発性メモリに対するＩ／Ｏインタフェース等を含んで構成されるようにしてもよい。
【００４９】
本体に投射用光源ユニット５８が装着された状態においては、本体２と投射用光源ユニット５８はコネクタ等で接続され、光源情報判別部６４と投射用光源ユニットの不揮発性記憶部５５は電気的に接続されるように構成されている。
【００５０】
光源情報判別部は、例えば本体の投射用光源ユニット不揮発性記憶部に対するアクセス制御部（ハードウエアで実現してもよいし、ソフトウエアで実現してもよいし、ハードウエアとソフトウエアを協働して実現してもよい）でアクセス処理を行い、本体に設けられたプロセッサ（ＣＰＵ）等で所定のプログラムを実行することにより判別処理を行うことにより実現可能である。
【００５１】
不揮発記憶部５５は、所定の情報が書き込まれた書き換え不可能な不揮発性メモリである第１の光源情報記憶部５６を含み、光源情報判別部６４は、第１の光源情報記憶部５６から第１の情報を読み出し、読み出した第１の情報が所定の情報であるか否かに基づき所定の規格品であるか否か判断するようにしてもよい。
【００５２】
また不揮発記憶部５５は、書き換え可能な不揮発性メモリで構成された第２の光源情報記憶部５７を含み、光源情報判別部６４は、第１のタイミングで第２の光源情報記憶部６７に所定の照合情報を書き込み、第１のタイミングの後の第２のタイミングで、第２の光源情報記憶部５７に記憶されている第２の情報を読み出す処理を行い、第２のタイミングで読み出した第２の情報が所定の条件を満たすか否かに基づき投射用光源ユニット５８が交換されたか否かを判断するようにしてもよい。
【００５３】
また本体２は、書き換え可能な不揮発性メモリで構成された第３の光源情報記憶部６５を含み、光源情報判別部６４は、第１のタイミングで第２の光源情報記憶部５７及び第３の光源情報記憶部６５に所定の照合情報を書き込み、第１のタイミングの後の第２のタイミングで第２の光源情報記憶部５７に記憶されている第２の情報及び第３の光源情報記憶部６５に記憶されている第３の情報を読み出す処理を行い、第２のタイミングで読み出した第２の情報と第３の情報と比較して比較結果に基づき前記投射用光源ユニットが交換されたか否かを判断するようにしてもよい。
【００５４】
投射用光源ユニット５８の光源５１にかかる光源電圧を取得する光源電圧取得部３４をさらに含み、光源情報判別部６４は、取得された前記光源電圧に基づき生成した照合電圧情報を第１のタイミングで第２の光源情報記憶部５７及び第３の光源情報記憶部６５に書き込むようにしてもよい。
【００５５】
光源電圧取得部３４は、光源の点灯制御のための駆動電力を制御するバラストユニット３０が光源５１に供給する電圧を取得するようにしてもよい。
【００５６】
また光源情報判別部６４は、取得された光源電圧に基づき前回電圧に関する情報を第１のタイミングで第２の光源情報記憶部５７に書き込み、第２の光源情報記憶部５７に記憶されている第２の情報を第２のタイミングで読み出し、第２のタイミングで読み出した第２の情報が示す光源電圧と今回所得した光源にかかる光源電圧を比較して比較結果に基づき前記投射用光源ユニットが交換されたか否かを判断するようにしてもよい。
【００５７】
また操作部からパスワード情報を受け付けるパスワード情報受け付け部６３をさらに含み、光源情報判別部６４は、受け付けたパスワード情報に基づき生成した照合パスワード情報を第１のタイミングで第２の光源情報記憶部５７及び第３の光源情報記憶部６５に書き込むようにしてもよい。
【００５８】
また光源情報判別部６４は、受け付けたパスワード情報に基づき生成した照合パスワード情報を第１のタイミングで第２の光源情報記憶部５７に書き込み、第２の光源情報記憶部５７に記憶されている第２の情報を第２のタイミングで読み出し、第２のタイミングで読み出した第２の情報が示すパスワード情報と今回受け付けたパスワードを比較して比較結果に基づき所定の条件をみたすか否か判断するようにしてもよい。
【００５９】
光源の点灯時間を含む光源情報を取得して光源使用履歴情報として本体または投射用光源ユニットの不揮発性記憶部（使用履歴保持部６７）に保持する光源使用履歴情報取得部６６を含み、光源情報判別部６４は、前記投射用光源ユニットが交換されたと判断した場合には、前記不揮発性記憶部（使用履歴保持部６７）に保持されている光源使用履歴情報をリセットするようにしてもよい。
【００６０】
光源情報判別部６４は、前記投射用光源ユニットの光源の消灯時に、投射用光源ユニットの不揮発性記憶部５５に対してアクセス動作を行うようにしてもよい。
【００６１】
なお本実施形態に係る投射型表示装置１は、光源５１に光源駆動電力を供給するバラストユニット３０、画面制御部６２，画面表示部５２、光学系５３、図示しない電源部等を含む。
【００６２】
図２は、本実施の形態の投射用光源ユニットの一例であるランプユニットを含むプロジェクタ（投射型表示装置の一例）の具体的な構成例を説明するための図である。
【００６３】
図２に示すように、プロジェクタ１は、電源装置１０と、投写光学系５０と、制御部６０と、冷却部７０とを備えている。
【００６４】
電源装置１０は、ＡＣ１００Ｖ等の商用電源を入力してプロジェクタ１の各種動作に必要な直流の電源電圧を生成する主電源部２０と、投写光学系５０の光源を駆動するバラスト部３０と、電源装置１０内の複数箇所で温度検知が可能な温度検知手段としての温度検知回路４０とを備えている。
【００６５】
主電源部２０は、商用電源を全波整流によって直流に変換する整流回路２１と、高調波電流を抑制するとともに力率を改善する力率改善（ＰＦＣ：Power Factor Correction）回路２２と、力率改善回路２２の出力をトランス（変圧器）２３ａにより所定の電圧に変換するＤＣ−ＤＣ変換回路２３とを有しており、商用電源から、制御部６０を動作させる動作電力及び冷却部７０を動作させるファン駆動電力を生成する。
【００６６】
バラスト部３０は、前記トランス２３ａの１次側（商用電源側）に備えられた力率改善回路２２に接続されており、前記力率改善回路２２からの出力電圧を降圧させる降圧チョッパ３１と、降圧チョッパ３１によって降圧された直流電流を交流矩形波電流（光源駆動電力）に変換するインバータ３２と、光源ランプの電極間の絶縁破壊を行って、光源ランプの始動を促すためのイグナイタ３３とを備えている。
【００６７】
またインバータには、電圧検出部３４が接続され、投射用光源ユニットの光源にかかる定常電圧（光源電圧）を取得する手段として機能する。電圧検出部３４で検出された定常電圧（光源電圧）は、内部のレジスタ等に記憶され制御部（光源情報判別部）に読み出し可能な状態におかれる。
【００６８】
温度検知回路４０は、前記トランス２３ａの１次側に備えられており、電源装置１０を構成する回路素子のうち、動作時に大きな発熱を伴う回路素子（発熱部）の温度を検知して、検知結果に応じた信号を出力可能になっている。本実施形態では、主電源部２０の力率改善回路２２、及びバラスト部３０の降圧チョッパ３１のそれぞれに備えられた２つのＦＥＴ（Field Effect Transistor：電界効果トランジスタ、図示せず）を検知対象としており、各ＦＥＴの近傍には、温度を検知するためのサーミスタＲＴ１，ＲＴ２が備えられている。
【００６９】
投写光学系５０は、ランプユニット５８、液晶ライトバルブ５２と、投写レンズ５３とを備えており、プロジェクタ１の外部に備えられたスクリーンＳＣ等に画像の表示を行うものである。ランプユニット５８は、光源ランプ５１とランプ情報保存メモリ（不揮発性記憶部）５５を含む。光源ランプ５１は、液晶ライトバルブ５２に光を照射するものであって、前記バラスト部３０で生成された光源駆動電力により点灯動作を行う。ランプ情報保存メモリ５５は、フラッシュメモリやＥＥＰＲＯＭ等の書き換え可能な不揮発性メモリ（メモリＩＣ）で構成され、本体から読みだし可能な不揮発記憶部として機能する。
【００７０】
液晶ライトバルブ５２は、マトリクス状に形成された図示しない複数の画素を備えており、光源ランプ５１から射出した光を、制御部６０から入力される画像信号に基づいて画素毎に変調することによって画像信号に応じた光学像を形成する。液晶ライトバルブ５２によって形成された光学像は、投写レンズ５３によってスクリーンＳＣ等に拡大投写される。
【００７１】
制御部６０は、プロジェクタ１の各種動作の統括制御を行う主制御部６１と、主制御部６１に接続された画像制御部６２、操作部６９、光源情報判別部６４等とからなっており、主電源部２０によって生成された動作電力によって動作する。光源情報判別部６４は、ランプユニットのランプ情報保存メモリ５９に記憶されている光源情報を読み出し、当該光源情報に基づき、ランプユニット５８が所定の規格品であるか及び投射用光源ユニットが交換されたかの少なくとも一方を判別する手段として機能する。
【００７２】
２．プロジェクタの制御
図３は、本実施の形態における純正品判定処理の流れ一例を示すフローチャートである。
【００７３】
本例では、純正品であることを示す情報を予めランプユニットのランプ情報保持メモリ（第１の不揮発性記憶部）に記憶させておく。純正品であることを示す情報は、例えばシリアル番号や識別ＩＤや純正品であることを意味する記号や番号等でもよく、これらを暗号化して記憶させるようにしてもよい。なお純正品であることを示す情報か否かを示すアルゴリズムについては、本体側に制御プログラムとして記憶されている。
【００７４】
電源オンを検出すると、ランプユニットのランプ情報保持メモリに記憶されているランプ情報を読み出す（ステップＳ１０、Ｓ２０）。
【００７５】
次に当該ランプ情報に基づき、ランプユニットが純正品であるか判別する（ステップＳ３０）。なお当該ランプ情報が暗号化されている場合には、復号した後の情報で判別するようにしてもよい。例えばシリアル番号にそれに基づき生成される照合情報を付加してランプ情報保持メモリに記憶させておき、ランプ情報保持メモリから読み出したシリアル番号と照合情報の組み合わせが正しいか否かにより純正品であるか否か判断するようにしてもよい（例えば所定の値からシリアル番号を引いた値を付加しておき、シリアル番号と照合情報を加算して所定の値になるか否かにより判断するようにしてもよい）。
【００７６】
また純正品には所定の規則に従って生成されるＩＤをあたえ当該ＩＤをランプ情報保持メモリに記憶させておき、ランプ情報保持メモリから読み出した情報が所定の規則に従って生成されるＩＤであるか否か判断して、判断結果に基づき純正品であるか否か判断するようにしてもよい。
【００７７】
そして純正品でないと判断した場合には、純正品でないことをユーザーに告知するメッセージを出力し、点灯動作ができないように制御する（ステップＳ４０、Ｓ５０）。
【００７８】
また純正品であると判断した場合には、点灯動作ができるように制御する（ステップＳ４０、Ｓ６０）。
【００７９】
図４は、本実施の形態におけるランプユニット交換判定処理の流れ一例を示すフローチャートである。
【００８０】
本例ではランプ情報保持メモリが書き換え可能な不揮発性メモリ（第２の光源情報記憶部）を含み、第１のタイミング（電源ＯＦＦされた後）でランプユニットの書き換え可能な不揮発性メモリ（第２の光源情報記憶部）に所定の照合情報を書き込み、第１のタイミングの後の第２のタイミング（次に電源オンされたとき）で、第２の光源情報記憶部に記憶されている第２の情報を読み出して、読み出した情報に基づきランプユニットが交換されたか否かを判断する場合を例にとり説明する。なお本実施の形態のプロジェクタは電源ＯＦＦ入力後すぐに電力の供給がストップされるのではなく、電源ＯＦＦされてもしばらくは電力が供給され、必要な処理が終了した後電力の供給がストップされるものとする。
【００８１】
電源ＯＦＦ入力があるとランプの消灯処理を行う（ステップＳ１１０、Ｓ１２０）。
【００８２】
次に所定の照合情報（機器の識別ＩＤ）をランプユニットのランプ情報保持メモリの第２の光源情報記憶部に書き込む（ステップＳ１３０）。
【００８３】
本体の不揮発性メモリに記憶されているランプ使用時間（ランプ使用履歴情報）を読み出し、今回のランプの使用時間を積算してランプ使用時間の更新値を求め、当該更新値で不揮発性メモリのランプ使用時間を更新する（ステップＳ１４０）。
【００８４】
次に電力の供給をストップする（ステップＳ１５０）。
【００８５】
次に電源ＯＮ入力があると、第２の光源情報記憶部に記憶されている第２の情報を読み出す（ステップＳ１６０、Ｓ１７０）。
【００８６】
次にランプの点灯処理を行う（ステップＳ１８０）。
【００８７】
次にステップＳ１７０で読み出した第２の情報と所定の照合情報（機器の識別ＩＤ）を比較する（ステップＳ１９０）。
【００８８】
一致していなければランプユニットが交換されたことをユーザーに告知するメッセージを出力し、本体の不揮発性メモリに記憶されているランプ使用時間（ランプ使用履歴情報）をリセットする（ステップＳ２００、Ｓ２１０）。
【００８９】
図５は、本実施の形態におけるランプユニット交換判定処理の流れの他の例を示すフローチャートである。
【００９０】
本例ではランプ情報保持メモリが書き換え可能な不揮発性メモリ（第２の光源情報記憶部）を含み、本体は書き換え可能な不揮発性メモリで構成された第３の光源情報記憶部を含み、第１のタイミング（電源ＯＦＦされた後）で第２の光源情報記憶部及び第３の光源情報記憶部に所定の照合情報を書き込み、第１のタイミングの後の第２のタイミング（次に電源ＯＮされたとき）で第２の光源情報記憶部に記憶されている第２の情報及び第３の光源情報記憶部に記憶されている第３の情報を読み出して、これらを比較してランプユニットが交換されたか否かを判断する場合を例にとり説明する。なお本実施の形態のプロジェクタは電源ＯＦＦ入力後すぐに電力の供給がストップされるのではなく、電源ＯＦＦされてもしばらくは電力が供給され、必要な処理が終了した後電力の供給がストップされるものとする。
【００９１】
電源ＯＦＦ入力があるとランプの消灯処理を行う（ステップＳ３１０、Ｓ３２０）。
【００９２】
次に所定の照合情報を取得する（ステップＳ３３０）。照合情報は、例えば点灯時のランプに供給される光源電圧（定常電圧）でもよいし、電源ＯＦＦ前のいずれかのタイミングで入力されたパスワード情報でもよいし、システムが内部時計を有している現在時刻の情報でもよい。
【００９３】
次にランプユニットのランプ情報保持メモリの第２の光源情報記憶部及び本体の第３の光源情報記憶部に、取得した所定の照合情報を書き込む（ステップＳ３４０）。
【００９４】
次に本体の不揮発性メモリに記憶されているランプ使用時間（ランプ使用履歴情報）を読み出し、今回のランプの使用時間を積算してランプ使用時間の更新値を求め、当該更新値で不揮発性メモリのランプ使用時間を更新する（ステップＳ３５０）。
【００９５】
次に電力の供給をストップする（ステップＳ３６０）。
【００９６】
次に電源ＯＮ入力があると、第２の光源情報記憶部に記憶されている第２の情報及び本体の第３の光源情報記憶部に記憶されている第３の情報を読み出す（ステップＳ３７０、Ｓ３８０）。
【００９７】
次にランプの点灯処理を行う（ステップＳ３９０）。
【００９８】
次にステップＳ３８０で読み出した第２の情報と第３の情報を比較する（ステップＳ４００）。
【００９９】
一致していなければランプユニットが交換されたことをユーザーに告知するメッセージを出力し、本体の不揮発性メモリに記憶されているランプ使用時間（ランプ使用履歴情報）をリセットする（ステップＳ４１０、Ｓ４２０）。
【０１００】
なお上記実施の形態で所定の照合情報として光源電圧を用いる場合、光源電圧をランプ情報保持メモリの第２の光源情報記憶部及び本体の第３の光源情報記憶部の両方に記憶させる場合を例にとり説明したがこれに限られない。例えば消灯直前に取得された光源電圧に基づき前回電圧に関する情報を第２の光源情報記憶部に書き込み、再び電源ＯＮ時に第２の光源情報記憶部に記憶されている第２の情報を読み出すとともに、ランプ点灯処理を行い今回の光源電圧を取得して、読み出した第２の情報が示す定常電圧と今回所得した光源電圧を比較して比較結果に基づきランプユニットが交換されたか否かを判断するようにしてもよい。
【０１０１】
また上記実施の形態で所定の照合情報としてパスワード情報を用いる場合、パスワード情報をランプ情報保持メモリの第２の光源情報記憶部及び本体の第３の光源情報記憶部の両方に記憶させる場合を例にとり説明したがこれに限られない。例えばいずれかのタイミングで入力されたパスワード情報を消灯時に第２の光源情報記憶部に書き込み、再び電源ＯＮ時に第２の光源情報記憶部に記憶されている第２の情報を読み出すとともに、操作部からのパスワード情報の入力を受け付け、読み出した第２の情報が示すパスワード情報と今回受け付けたパスワードを比較して比較結果に基づきランプユニットが交換されたか否かを判断するようにしてもよい。
【０１０２】
図６は、本実施の形態において純正品判定処理及びランプユニット交換判定処理を両方行う場合の処理の流れ示すフローチャートである。
【０１０３】
ユーザーによるスイッチＯＮコマンドの入力があると、ランプユニットが装着されているか否か判別し、装着されていない場合には本体ＬＥＤでランプが装着されていないことをユーザーに知らせる（ステップＳ５１０、Ｓ５２０、Ｓ５３０）。
【０１０４】
ランプユニットが装着されている場合には、ランプ情報保持メモリの光源情報を読み出し、第１の光源情報記憶部に記憶されている情報（純正品であるか否かを示す情報）に基づき純正ランプであるか否か判別する（ステップＳ５４０）。
【０１０５】
純正品で無いと判断した場合には点灯できるか否かをトライして判別する(ステップＳ５５０）。点灯できない場合には点灯せず本体ＬＥＤでエラーをユーザーに知らせる(ステップＳ５６０）。点灯できる場合には点灯し、投射画面で純正ランプでないことをユーザーに知らせる(ステップＳ５７０）。
【０１０６】
純正品であると判断した場合には、第２の光源情報記憶部に記憶されている前回の光源電圧に関する情報と本体に記憶している前回の光源電圧に関する情報と比較して同じであるか否か判別する(ステップＳ５８０）。
【０１０７】
前回の光源電圧と同じでないと判断した場合には点灯できるか否かをトライして判別する(ステップＳ５９０）。点灯できない場合には点灯せず本体ＬＥＤでエラーをユーザーに知らせる(ステップＳ６００）。点灯できる場合には点灯し、投射画面でランプが交換されたことをユーザーに知らせる(ステップＳ６１０）。
【０１０８】
前回の光源電圧と同じであると判断した場合に、ユーザーがパスワードを設定しているか否か判別し設定していない場合には、正常に起動して動作する(ステップＳ６２０、Ｓ６３０)。
【０１０９】
ユーザーがパスワードを設定している場合には、ユーザーが入力したパスワードの正誤判定を行い、誤りである場合には、点灯できるか否かをトライして判別する(ステップＳ６５０)。点灯できない場合には点灯せず本体ＬＥＤでエラーをユーザーに知らせる(ステップＳ６５４)。点灯できる場合には点灯し、投射画面でパスワードがちがうことをユーザーに知らせる(ステップＳ６５２)。
【０１１０】
ユーザーが入力したパスワードが正しい場合には、正常に起動して投射する(ステップＳ６４０、Ｓ６６０）。
【０１１１】
そしてユーザーによりスイッチＯＦＦコマンドが入力される（ステップＳ６７０）と、バラスト部は光源電圧をバラストの書き換え可能な不揮発性メモリに記録し（ステップＳ６８０）、ランプを消灯し（ステップＳ６９０）、バラストの書き換え可能な不揮発性メモリに記録された光源電圧を本体ＲＡＭ及びランプ情報保持メモリの書き換え可能な不揮発性メモリに記録する（ステップＳ７００）。
【０１１２】
３．プロジェクタ及び投射型光源ユニットの構造
図７は本実施形態に係る投写型表示装置１を後部からみた分解斜視図であり、図８は光源ユニットの構造を示す分解斜視図である。
【０１１３】
投写型表示装置１は、光源としての光源ランプから出射された光束を赤（Ｒ）、緑（Ｇ）、青（Ｂ）の三原色に分離し、これらの各色光束を電気光学装置を構成する液晶パネルを通して画像情報に対応させて変調し、変調した後の各色の変調光束をプリズム（色合成光学系）により合成して、投写レンズ５３を介して投写面上に拡大表示する形式のものである。投写レンズ５３の一部を除いて、各構成部品は外装ケース３の内部に収納されている。
【０１１４】
装置１の内部には、投写レンズ５３の一側方に配置された電源としての電源ユニット、電源ユニットの後方に配置された光源装置としての投射用光源ユニット、光学系を構成する光学ユニット、ユニット内の電気光学装置を駆動するドライバーボード、および装置１全体を制御するメインボードなどが収容されている。
【０１１５】
光源装置である投射用光源ユニット５８は、投写型表示装置１の光源部分を構成するものであり、図７にも示されるように、光源ランプ１８１、リフレクタ１８２、およびこれらを収納するランプハウジング１８４（後述）とを備えている。
【０１１６】
投射用光源ユニット５８を本体装置１に装着した状態においてメインボードと投射用光源ユニット５８と電気的に接続されている。
【０１１７】
光源装置である投射用光源ユニット５８は、図７に示すように、投射用光源ユニット５８を装置本体２に対して着脱することが可能であり、交換できるようになっている。
【０１１８】
投射用光源ユニット５８は、図７、図８に示すように、光源ランプ１８１と、リフレクタ１８２と、このリフレクタ１８２の開口面以外の外面をほぼ全体的に覆うプラスチック製のランプハウジング１８４と、リフレクタ１８２の開口面を覆う前面ガラス１８３とを含んで構成されている。
【０１１９】
光源ランプ１８１は、ガラス管と、当該ガラス管内に略直線状に配置された一対の電極とを有している。詳細に図示してはいないが、光源ランプ１８１を構成するガラス管の一部には、発光ガスが封入された中空の発光部がある。一対の電極のそれぞれの端部は、発光部内において略同一軸線上に配置され、これらの電極間で放電を行うことにより、光を放出させる。発光部の両側は電極シール部となっており、一対の電極の発光部とは反対側の端部が、他の電気導通部材と接続されつつ封止されている。光源ランプ１８１の一方の端部は、リフレクタ１８２の内面のほぼ中央部に固定される。
【０１２０】
リフレクタ１８２は、光源ランプ１８１の発光部から放射された光を、開口部側へ反射する反射鏡である。投写型表示装置１には、一般的に、その断面が、パラボラ形状や楕円形状であるものが使用され、リフレクタの形状のみ、あるいは、リフレクタの形状とその開口面付近に配置したレンズの形状とを適宜選択することによって、出射光を平行光としたり、発散光としたり、あるいは収束光としたりすることができる。リフレクタ１８２の開口面には、前面ガラス１８３が接着等によって取り付けられる。
【０１２１】
ランプハウジング１８４には、光源ランプ１８１及び前面ガラス１８３が取り付けられたリフレクタ１８２が固定、収納される。
【０１２２】
また、基部ハウジング１８５の第２側板１８９の後ろ側には、電源ユニットや本体のメインボードとの電気的接続を行うコネクタ１９３が設けられているとともに、その側部には、不揮発性記憶部１９４が設けられている。この不揮発性記憶部１９４は、ランプ情報保持メモリ（本体から読みだし可能な不揮発記憶部）として機能する。
【０１２３】
なお不揮発性記憶部１９４の設置位置は図８に示す場所に限られず、投射用光源ユニット内の他の場所でもよい。
【０１２４】
本発明は、実施の形態で説明した構成と実質的に同一の構成（例えば、機能、方法及び結果が同一の構成、あるいは目的及び効果が同一の構成）を含む。また、本発明は、実施の形態で説明した構成の本質的でない部分を置き換えた構成を含む。また、本発明は、実施の形態で説明した構成と同一の作用効果を奏する構成又は同一の目的を達成することができる構成を含む。また、本発明は、実施の形態で説明した構成に公知技術を付加した構成を含む。
【０１２５】
例えば上記実施の形態では、本体に対して着脱可能な投射用光源ユニットを含む投射型表示装置を例にとり説明したが是に限られない。
【０１２６】
例えば、本体に対して着脱可能な消耗部品ユニットを含む電子機器であって、前記消耗部品ユニットは、本体から読みだし可能な不揮発記憶部を含み、前記本体は、前記消耗部品ユニットの不揮発性記憶部に記憶されている消耗部品情報を読み出し、前記不揮発性記憶部から読み出された消耗部品情報に基づき、消耗部品ユニットが所定の規格品であるか及び消耗部品ユニットが交換されたかの少なくとも一方を判別する消耗部品情報判別部を含む電子機器も本発明の範囲内である。消耗部品ユニットとは例えばインクカートリッジ等でもよく、電子機器とは例えばプリンタ等でもよい。
【図面の簡単な説明】
【０１２７】
【図１】本実施形態に係る投射型表示装置の機能ブロック図。
【図２】本実施の形態の投射用光源ユニットの一例であるランプユニットを含むプロジェクタ（投射型表示装置の一例）の具体的な構成例を説明するための図。
【図３】本実施の形態における純正品判定処理の流れ一例を示すフローチャート。
【図４】本実施の形態におけるランプユニット交換判定処理の流れ一例を示すフローチャート。
【図５】本実施の形態におけるランプユニット交換判定処理の流れの他の例を示すフローチャート。
【図６】本実施の形態において純正品判定処理及びランプユニット交換判定処理を両方行う場合の処理の流れ示すフローチャート。
【図７】本実施形態に係る投写型表示装置を後部からみた分解斜視図。
【図８】光源ユニットの構造を示す分解斜視図。
【符号の説明】
【０１２８】
１  プロジェクタ、２  本体  ３  本体ハウジング  ３０  バラスト部、３４  光源電圧取得部、５１  光源（ランプ）、５２  画面表示部、５３  光学系、６２  画面制御部、６４  光源情報判別部、６５  ５５  不揮発性記憶部、５６  第１の光源情報記憶部、５７  第２の光源情報記憶部、５８  投射用光源（ランプ）ユニット、６３  パスワード受け付け部、６５  第２の光源情報記憶部、６６  光源使用履歴情報取得部、６７  使用履歴保持部
【図１】
2008185712.tif 000003
【図２】
2008185712.tif 000004
【図３】
2008185712.tif 000005
【図４】
2008185712.tif 000006
【図５】
2008185712.tif 000007
【図６】
2008185712.tif 000008
【図７】
2008185712.tif 000009
【図８】
2008185712.tif 000010